(57)【要約】【課題】  被物干し部材の着脱の操作性のよい物干し具を提供する。【解決手段】  物干し具１は、物干しハンガー２と、物干しピンチ３と、を備えている。物干しハンガー２は、接続部２３を中心として折り畳むことで、第１の物干し面２１ｂと第２の物干し面２２ｂが同一平面上に位置する平面状態から、第１の吊り下げ面２１ａと第２の吊り下げ面２２ａが対向した折り畳み状態に変形可能である。物干しピンチ３は、第１のハンガー部２１に回転可能に支持された基端部分を中心として回転させることで先端部分が第１の物干し面２１ｂの外側の空間を移動する回転部３１と、回転された回転部３１と対向する位置に配置された係止部２１と、を備えている。回転部３１及び係止部３２には、回転部３１と係止部３２の間に挟まれた被物干し部材の挟持状態を保つための第１の挟持部３１ａ及び第２の挟持部３２ｃがそれぞれ形成されている。【選択図】図３
2018148989.tif 000002
【特許請求の範囲】
【請求項１】
物干しハンガーと、
前記物干しハンガーに固定された物干しピンチと、
を備えた物干し具であって、
前記物干しハンガーは、
第１の吊り下げ面と、前記第１の吊り下げ面の裏面である第１の物干し面と、第１の側面と、を有する第１のハンガー部と、
第２の吊り下げ面と、前記第２の吊り下げ面の裏面である第２の物干し面と、第２の側面と、を有する第２のハンガー部と、
前記第１のハンガー部と前記第２のハンガー部を接続する接続部と、
を備え、
前記物干しハンガーは、前記接続部を中心として折り畳むことにより、前記第１の物干し面と前記第２の物干し面が略同一平面上に位置する平面状態から、前記第１の吊り下げ面と前記第２の吊り下げ面が対向した折り畳み状態に変形可能であり、
前記物干しピンチは、
基端部分が前記第１のハンガー部に回転可能に支持され、前記基端部分を中心として回転させることにより、先端部分が前記第１の物干し面の外側の空間又は前記第１の側面の外側の空間を移動する回転部と、
前記第１のハンガー部に固定され、前記回転された回転部と対向する位置に配置された係止部と、
を備え、
前記回転部及び前記係止部の少なくとも一方には、対向した前記回転部と前記係止部の間に挟まれた被物干し部材の挟持状態を保つための挟持部が形成されていることを特徴とする物干し具。
【請求項２】
前記物干しハンガーを前記平面状態から前記折り畳み状態に変形させる際に、前記第１のハンガー部は、前記接続部を中心として第１の回転方向に回転され、
前記回転部の先端部分は、前記基端部分を中心として前記第１の回転方向に回転させることにより、前記第１の物干し面の外側の空間又は前記第１ハンガー部の側面の外側の空間を移動し、
前記係止部は、前記第１の回転方向へ回転した前記回転部と対向する位置に配置されており、
前記接続部が下側となるように前記第１のハンガー部がぶら下げられた状態において、前記第１のハンガー部には、複数の前記物干しピンチが垂直方向に沿って配列されており、
前記回転部は、前記係止部と対向した状態において、前記第１の物干し面の外側の空間又は前記第１ハンガー部の側面の外側の空間へ向けて前記係止部よりも突出していることを特徴とする請求項１に記載の物干し具。
【請求項３】
前記係止部は、前記第１の物干し面から突出し前記回転部と対向する対向面と、前記対向面の反対側の非対向面と、を備え、前記非対向部は、先端が丸みを帯びた形状を有していることを特徴とする請求項２に記載の物干し具。
【請求項４】
前記物干しピンチは、前記第１の回転方向とは逆方向の第２の回転方向へ回転した前記回転部が再び前記第１の回転方向へ回転することを抑制するための保持部を更に備えたことを特徴とする請求項１から３のいずれか一項に記載の物干し用具。
【請求項５】
第１の吊り下げ面と、前記第１の吊り下げ面の裏面である第１の物干し面と、第１の側面と、を有する第１のハンガー部と、第２の吊り下げ面と、前記第２の吊り下げ面の裏面である第２の物干し面と、第２の側面と、を有する第２のハンガー部と、前記第１のハンガー部と前記第２のハンガー部を接続する接続部と、を有し、前記接続部を中心として折り畳むことにより、前記第１の物干し面と前記第２の物干し面が略同一平面上に位置する平面状態から、前記第１の吊り下げ面と前記第２の吊り下げ面が対向した折り畳み状態に変形可能な物干しハンガーに取り付けられる物干しピンチであって、
基端部分が前記第１のハンガー部に直接的又は間接的に回転可能に支持され、前記基端部分を中心として回転させることにより、先端部分が前記第１の物干し面の外側の空間又は前記第１の側面の外側の空間を移動する回転部と、
前記第１のハンガー部に直接的又は間接的に固定され、前記回転された回転部と対向する位置に配置された係止部と、
を備え、
前記回転部及び前記係止部の少なくとも一方には、対向した前記回転部と前記係止部の間に挟まれた被物干し部材の挟持状態を保つための挟持部が形成されていることを特徴とする物干しピンチ。
【請求項６】
前記物干しハンガーを前記平面状態から前記折り畳み状態に変形させる際に、前記第１のハンガー部は、前記接続部を中心として第１の回転方向に回転され、
前記回転部の先端部分は、前記基端部分を中心として前記第１の回転方向に回転させることにより、前記第１の物干し面の外側の空間又は前記第１ハンガー部の側面の外側の空間を移動し、
前記係止部は、前記第１の回転方向へ回転した前記回転部と対向する位置に配置されており、
前記回転部は、前記係止部と対向した状態において、前記第１の物干し面の外側の空間又は前記第１ハンガー部の側面の外側の空間へ向けて前記係止部よりも突出していることを特徴とする請求項５に記載の物干しピンチ。
【請求項７】
前記係止部は、前記第１の物干し面から突出し前記回転部と対向する対向面と、前記対向面の反対側の非対向面と、を備え、前記非対向部は、先端が丸みを帯びた形状を有していることを特徴とする請求項６に記載の物干しピンチ。
【請求項８】
前記第１の回転方向とは逆方向の第２の回転方向へ回転した前記回転部が再び前記第１の回転方向へ回転することを抑制するための保持部を更に備えたことを特徴とする請求項５から７のいずれか一項に記載の物干しピンチ。
【発明の詳細な説明】
【技術分野】
【０００１】
本発明は、被物干し部材を干すための物干し具、及び、物干しピンチに関する。
【背景技術】
【０００２】
従来より、対向させた２枚の板の一端同士を回転可能に接続し、他端間に洗濯物を挟持することのできるピンチが知られている。（例えば、特許文献１参照）。
【先行技術文献】
【特許文献】
【０００３】
【特許文献１】特開２００６−１１０３９５号公報
【発明の概要】
【発明が解決しようとする課題】
【０００４】
しかしながら、上記特許文献１に記載のピンチは、通常の洗濯バサミと同様に、物干しハンガーに鎖等によってぶら下げて使用するものであり、洗濯物等の被物干し部材の着脱の操作性が大きく改善されているわけではない。
【０００５】
そこで、本発明は、被物干し部材の着脱の操作性のよい物干し具、及び、物干しピンチを提供することを目的としている。
【課題を解決するための手段】
【０００６】
本発明は、物干しハンガーと、前記物干しハンガーに固定された物干しピンチと、を備えた物干し具であって、前記物干しハンガーは、第１の吊り下げ面と、前記第１の吊り下げ面の裏面である第１の物干し面と、第１の側面と、を有する第１のハンガー部と、第２の吊り下げ面と、前記第２の吊り下げ面の裏面である第２の物干し面と、第２の側面と、を有する第２のハンガー部と、前記第１のハンガー部と前記第２のハンガー部を接続する接続部と、を備え、前記物干しハンガーは、前記接続部を中心として折り畳むことにより、前記第１の物干し面と前記第２の物干し面が略同一平面上に位置する平面状態から、前記第１の吊り下げ面と前記第２の吊り下げ面が対向した折り畳み状態に変形可能であり、前記物干しピンチは、基端部分が前記第１のハンガー部に回転可能に支持され、前記基端部分を中心として回転させることにより、先端部分が前記第１の物干し面の外側の空間又は前記第１の側面の外側の空間を移動する回転部と、前記第１のハンガー部に固定され、前記回転された回転部と対向する位置に配置された係止部と、を備え、前記回転部及び前記係止部の少なくとも一方には、対向した前記回転部と前記係止部の間に挟まれた被物干し部材の挟持状態を保つための挟持部が形成されていることを特徴とする物干し具を提供している。
【０００７】
このような構成によれば、“折り畳み状態”において回転部が使用者の正面付近で操作可能な状態となっているので、使用者は楽な姿勢で洗濯物の着脱を行うことが可能となる。また、物干しハンガーを折り畳んだ状態で洗濯物の着脱を行うことができるので、小さなスペースでも洗濯物の着脱を行うことが可能となる。
【０００８】
また、従来の物干し具では、第１の物干し面と第２の物干し面が対向するように折り畳まれ、かつ、鎖等を介して第１の物干し面及び第２の物干し面に洗濯バサミがぶら下げられていたため、物干しハンガーを開く際に洗濯バサミ同士が互いに絡み合って開かないという問題が生じていた。
【０００９】
しかしながら、本発明の物干し具では、物干しピンチは第１のハンガー部に固定されており、ぶら下げる構成ではないので、絡み合うという問題が生じない。
【００１０】
また、前記物干しハンガーを前記平面状態から前記折り畳み状態に変形させる際に、前記第１のハンガー部は、前記接続部を中心として第１の回転方向に回転され、前記回転部の先端部分は、前記基端部分を中心として前記第１の回転方向に回転させることにより、前記第１の物干し面の外側の空間又は前記第１ハンガー部の側面の外側の空間を移動し、前記係止部は、前記第１の回転方向へ回転した前記回転部と対向する位置に配置されており、前記接続部が下側となるように前記第１のハンガー部がぶら下げられた状態において、前記第１のハンガー部には、複数の前記物干しピンチが垂直方向に沿って配列されており、前記回転部は、前記係止部と対向した状態において、前記第１の物干し面の外側の空間又は前記第１ハンガー部の側面の外側の空間へ向けて前記係止部よりも突出していることが好ましい。
【００１１】
このような構成によれば、複数の回転部の係止部よりも突出した部分に対して重力に沿って力を加えるだけで、複数の回転部を第１の回転方向とは逆の方向へ一斉に回転させることができるので、洗濯物の挟持状態を一斉に解除することが可能となる。
【００１２】
また、前記係止部は、前記第１の物干し面から突出し前記回転部と対向する対向面と、前記対向面の反対側の非対向面と、を備え、前記非対向部は、先端が丸みを帯びた形状を有していることが好ましい。
【００１３】
このような構成によれば、洗濯物の挟持状態を一斉に解除した際、上方に位置していた物干しピンチから外れた洗濯物が、下方に位置する物干しピンチの係止部の先端に引っかかってしまうことが抑制される。
【００１４】
また、前記物干しピンチは、前記第１の回転方向とは逆方向の第２の回転方向へ回転した前記回転部が再び前記第１の回転方向へ回転することを抑制するための保持部を更に備えることが好ましい。
【００１５】
このような構成によれば、第２の回転方向へ回転した回転部は、保持部により、再び第１の回転方向へ回転することを抑制されるので、意図せずに回転部が第１の方向に回転して挟持状態となってしまうことが抑制され、次の物干し作業の際にスムーズに洗濯物を装着することが可能となる。
【００１６】
また、本発明の別の観点によれば、第１の吊り下げ面と、前記第１の吊り下げ面の裏面である第１の物干し面と、第１の側面と、を有する第１のハンガー部と、第２の吊り下げ面と、前記第２の吊り下げ面の裏面である第２の物干し面と、第２の側面と、を有する第２のハンガー部と、前記第１のハンガー部と前記第２のハンガー部を接続する接続部と、を有し、前記接続部を中心として折り畳むことにより、前記第１の物干し面と前記第２の物干し面が略同一平面上に位置する平面状態から、前記第１の吊り下げ面と前記第２の吊り下げ面が対向した折り畳み状態に変形可能な物干しハンガーに取り付けられる物干しピンチであって、基端部分が前記第１のハンガー部に直接的又は間接的に回転可能に支持され、前記基端部分を中心として回転させることにより、先端部分が前記第１の物干し面の外側の空間又は前記第１の側面の外側の空間を移動する回転部と、前記第１のハンガー部に直接的又は間接的に固定され、前記回転された回転部と対向する位置に配置された係止部と、を備え、前記回転部及び前記係止部の少なくとも一方には、対向した前記回転部と前記係止部の間に挟まれた被物干し部材の挟持状態を保つための挟持部が形成されていることを特徴とする物干しピンチを提供としている。
【００１７】
また、前記物干しハンガーを前記平面状態から前記折り畳み状態に変形させる際に、前記第１のハンガー部は、前記接続部を中心として第１の回転方向に回転され、前記回転部の先端部分は、前記基端部分を中心として前記第１の回転方向に回転させることにより、前記第１の物干し面の外側の空間又は前記第１ハンガー部の側面の外側の空間を移動し、前記係止部は、前記第１の回転方向へ回転した前記回転部と対向する位置に配置されており、前記回転部は、前記係止部と対向した状態において、前記第１の物干し面の外側の空間又は前記第１ハンガー部の側面の外側の空間へ向けて前記係止部よりも突出していることが好ましい。
【００１８】
また、前記係止部は、前記第１の物干し面から突出し前記回転部と対向する対向面と、前記対向面の反対側の非対向面と、を備え、前記非対向部は、先端が丸みを帯びた形状を有していることが好ましい。
【００１９】
また、前記第１の回転方向とは逆方向の第２の回転方向へ回転した前記回転部が再び前記第１の回転方向へ回転することを抑制するための保持部を更に備えることが好ましい。
【発明の効果】
【００２０】
本発明の物干し具、及び、物干しピンチによれば、被物干し部材の着脱を操作性よく行うことが可能となる。
【図面の簡単な説明】
【００２１】
【図１】本発明の第１の実施の形態による物干し具の底面図
【図２】本発明の第１の実施の形態による物干し具の“平面状態”の説明図
【図３】本発明の第１の実施の形態による物干し具の“折り畳み状態”の説明図
【図４】本発明の第１の実施の形態による物干し具の変形についての説明図
【図５】本発明の第１の実施の形態による物干し具の“折り畳み状態”における物干しピンチの拡大図
【図６】本発明の第１の実施の形態による物干し具の使用方法についてのフローチャート
【図７】本発明の物干しピンチの変形例
【図８】本発明の物干しピンチの他の変形例
【発明を実施するための形態】
【００２２】
以下、本発明の第１の実施の形態による物干し具１について、図１−図６を参照して説明する。
【００２３】
物干し具１は、洗濯物等の被物干し部材（以下、洗濯物と称す）を干すためのものであって、図１に示すように、物干しハンガー２と、物干しピンチ３と、を備えている。
【００２４】
まず、図１−図４を参照して、物干しハンガー２の構成について説明する。
【００２５】
図１−図３に示すように、物干しハンガー２は、第１のハンガー部２１と、第２のハンガー部２２と、接続部２３と、を備えている。
【００２６】
第１のハンガー部２１及び第２のハンガー部２２は、それぞれ同一サイズの格子状の略長方形状を有しており、略棒状の接続部２３を介して接続されている。
【００２７】
第１のハンガー部２１は、洗濯物を干す際に上面となる第１の吊り下げ面２１ａと、洗濯物を干す際に下面となる第１の物干し面２１ｂと、を備えている。
【００２８】
同様に、第２のハンガー部２２も、洗濯物を干す際に上面となる第２の吊り下げ面２２ａと、洗濯物を干す際に下面となる第２の物干し面２２ｂと、を備えている。
【００２９】
物干しハンガー２は、接続部２３を中心として折り畳むことにより、第１の吊り下げ面２１ａと第２の吊り下げ面２２ａが略同一平面上に位置する“平面状態（図２）”から、第１の吊り下げ面２１ａと第２の吊り下げ面２２ａが対向した“折り畳み状態（図３）”に変形可能である。
【００３０】
本実施の形態では、図４に示すように、物干しハンガー２を“折り畳み状態”に変形させる際に第１のハンガー部２１が回転する方向を第１の回転方向Ｐ、物干しハンガー２を“平面状態”に変形させる際に第１のハンガー部２１が回転する方向を第２の回転方向Ｑとする。
【００３１】
第１のハンガー部２１の接続部２３とは反対側の端部には、一対の第１のフック部２１ｃが設けられており、第２のハンガー部２２の接続部２３とは反対側の端部には、一対の第２のフック部２２ｃが設けられている。
【００３２】
物干し具１の使用時には、一対の第１のフック部２１ｃ間に吊り下げ紐２１ｄを、一対の第２のフック部２２ｃ間に吊り下げ紐２２ｄを架け渡し、架け渡された吊り下げ紐２１ｄ及び吊り下げ紐２２ｄを物干し竿Ｘ等にぶら下げることが好ましい。
【００３３】
この状態で、吊り下げ紐２１ｄと吊り下げ紐２２ｄが互いに遠ざかるように物干し竿上をスライドさせることで、物干しハンガー２は“平面状態”となり、吊り下げ紐２１ｄと吊り下げ紐２２ｄが互いに近づくように物干し竿上をスライドさせることで、物干しハンガー２は“折り畳み状態”となる。
【００３４】
続いて、図３及び図５を参照して、物干しピンチ３の構成について説明する。
【００３５】
図３に示すように、物干しピンチ３は、第１のハンガー部２１及び第２のハンガー部２２にそれぞれ複数個ずつ設けられており、それぞれ、回転部３１と、係止部３２と、保持部３３と、を備えている。
【００３６】
以下では、第１のハンガー部２１に設けられた物干しピンチ３を例に説明するが、第２のハンガー部２２に設けられた物干しピンチ３も同様の構成を有しているものとする。
【００３７】
また、以下の説明では、物干しハンガー２が“折り畳み状態”で吊り下げられている場合、すなわち、第１のハンガー部２１及び第２のハンガー部２２が共に略垂直方向に延びている場合を例に説明する。
【００３８】
回転部３１は、略板形状を有しており、基端部分が第１の物干し面２１ｂに回転可能に支持されている。詳細には、回転軸は異なるが、第１のハンガー部２１及び第２のハンガー部２２とそれぞれ同じ回転方向である第１の回転方向Ｐ及び第２の回転方向Ｑへ回転可能に支持されている。回転部３１を第１の回転方向Ｐ又は第２の回転方向Ｑへ回転させることで、回転部３１の先端部分が第１の物干し面２１ｂの外側の空間、すなわち、第１の吊り下げ面２１ａとは反対側の空間（第２のハンガー部２２とは反対側の空間とも言える）を移動することとなる。
【００３９】
また、図５に示すように、回転部３１の略中間部分には、磁石により構成された第１の挟持部３１ａが埋め込まれている。
【００４０】
係止部３２は、第１の物干し面２１ｂから外側の空間へ向けて略水平方向に突出し、かつ、第１の回転方向Ｐへ回転した回転部３１と対向する位置に配置されている。回転部３１と係止部３２が対向した状態においては、回転部３１の方が係止部３２よりも第１の物干し面２１ｂの外側の空間へ向けて突出している。
【００４１】
図５に示すように、係止部３２は、回転部３１と対向する対向面３２ａと、反対面である非対向面３２ｂと、を備えている。
【００４２】
対向面３２ａには、回転部３１と係止部３２が対向した状態において第１の挟持部３１ａと対向する位置に、磁石により構成された第２の挟持部３２ｃが設けられている。従って、回転部３１が第１の回転方向Ｐへ回転し、第１の挟持部３１ａが第２の挟持部３２ｃに近づくと、第１の挟持部３１ａは第２の挟持部３２ｃに吸着されることとなる。
【００４３】
非対向面３２ｂは、先端が丸みを帯びた形状を有している。
【００４４】
保持部３３は、第１の物干し面２１ｂに設けられた磁石であり、第２の回転方向Ｑへ回転した回転部３１の第１の挟持部３１ａと対向する位置に配置されている。従って、回転部３１が第２の回転方向Ｑへ回転し、第１の挟持部３１ａが保持部３３に近づくと、第１の挟持部３１ａは保持部３３に吸着されることとなる。
【００４５】
このような構成の物干しピンチ３は、物干しハンガー２が“折り畳み状態”で吊り下げられているときには、回転部３１よりも係止部３２が上方となる姿勢で略垂直方向に複数配列されている。
【００４６】
続いて、図６を参照して、本実施の形態による物干し具１の使用方法について説明する。
【００４７】
図６は、洗濯物の装着から取り込みまでの物干し具１の使用方法についてのフローチャートである。本実施の形態では、このフローチャートは、物干しハンガー２が“折り畳み状態”にあり、かつ、第１の挟持部３１ａが保持部３３に吸着されている状態から開始するものとする。
【００４８】
まず、回転部３１を第１の回転方向Ｐへ回転させ、保持部３３との吸着を解除する（Ｓ１）。
【００４９】
続いて、回転部３１に洗濯物を載置した後（Ｓ２）、回転部３１を更に第１の回転方向Ｐへ回転させ、第２の挟持部３２ｃと吸着させる（Ｓ３）。これにより、回転部３１と係止部３２との間に洗濯物が挟持されることとなる。
【００５０】
この状態では、挟持された洗濯物は、略水平方向へ延びた回転部３１の先端から折れ曲がって下方へぶら下がった状態となる。なお、“折り畳み状態”では、複数の物干しピンチ３は、略垂直方向に配列されているので、複数の物干しピンチ３にそれぞれ洗濯物を挟持させる際には、下方から順に挟持させていくことが好ましい。
【００５１】
全ての洗濯物を挟持させた後、第１の物干しハンガー部２１を第２の回転方向Ｑに、第２の物干しハンガー部２２を第１の回転方向Ｐに回転させることで、物干しハンガー２を“折り畳み状態”から“平面状態”に変形させる（Ｓ４）。この変形は、吊り下げ紐２１ｄと吊り下げ紐２２ｄが互いに遠ざかるように物干し竿上をスライドさせることで、容易に行うことができる。
【００５２】
物干しハンガー２が“平面状態”となることで、各物干しピンチ３が略水平方向に並ぶ一方で、略水平方向に延びていた回転部３１及び係止部３２は、略下方向へ延びることとなる。従って、各物干しピンチ３に挟持された洗濯物は、折れ曲がることなく、かつ、互いに接触することない状態で干されることとなる。
【００５３】
洗濯物を取り込む際には、第１の物干しハンガー部２１を第１の回転方向Ｐに、第２の物干しハンガー部２２を第２の回転方向Ｑに回転させることで、物干しハンガー２を “平面状態”から“折り畳み状態”に変形させる（Ｓ５）。
【００５４】
最後に、回転部３１を第２の回転方向Ｑへ回転させ、第２の挟持部３２ｃとの吸着を解除させる（Ｓ６）。これにより、洗濯物が挟持状態から解放されるので、重力に沿って落下することとなる。一方、第２の回転方向Ｑへ回転した回転部３１は、保持部３３と吸着され、新たな洗濯物を装着可能な待機状態となる。
【００５５】
以上説明したように、本実施の形態による物干し具１では、第１のハンガー部２１に回転可能に支持された回転部３１を回転させることにより洗濯物の着脱を行う。
【００５６】
このような構成によれば、従来の洗濯バサミのような“つまむ”操作が不要となるので、物干し作業において使用者に疲労が生じることが抑制される。また、回転部３１に洗濯物を載置した状態で回転部３１を第１の回転方向Ｐへ回転させるだけで洗濯物を挟持することができるので、片手でも物干し作業が可能となる。
【００５７】
また、物干しハンガー２が“折り畳み状態”のときに、第１の物干し面２１ｂが外側となり、かつ、回転部３１の先端部分は、第１の物干し面２１ｂの外側の空間を移動可能に構成されている。
【００５８】
このような構成によれば、“折り畳み状態”において回転部３１が使用者の正面付近で操作可能な状態となっているので、使用者は楽な姿勢で洗濯物の着脱を行うことが可能となる。また、“折り畳み状態”で洗濯物の着脱を行うことができるので、小さなスペースでも洗濯物の着脱を行うことが可能となる。
【００５９】
また、従来の物干し具では、第１の物干し面と第２の物干し面が対向するように折り畳まれ、かつ、鎖等を介して第１の物干し面及び第２の物干し面に洗濯バサミがぶら下げられていたため、物干しハンガーを開く際に洗濯バサミ同士が互いに絡み合って開かないという問題が生じていた。
【００６０】
しかしながら、本実施の形態による物干し具１では、物干しピンチ３は第１のハンガー部２１に固定されており、ぶら下げる構成ではないので、絡み合うという問題が生じない。
【００６１】
また、本実施の形態による物干し具１では、回転部３１と係止部３２と対向し、かつ、物干しハンガー２が“折り畳み状態”で吊り下げられている場合において、物干しピンチ３は、回転部３１よりも係止部３２が上方となる姿勢で略垂直方向に複数配列されており、かつ、回転部３１は、第１の物干し面１２ｂの外側の空間へ向けて係止部３２よりも突出している。
【００６２】
このような構成によれば、複数の回転部３１の係止部３２よりも突出した部分に対して重力に沿って力を加えるだけで、複数の回転部３１を第２の回転方向Ｑへ一斉に回転させることができるので、洗濯物の挟持状態を一斉に解除することが可能となる。
【００６３】
また、本実施の形態による物干し具１では、係止部３２の非対向面３２ｂは、先端が丸みを帯びた形状を有している。
【００６４】
このような構成によれば、洗濯物の挟持状態を一斉に解除した際、上方に位置していた物干しピンチ３から外れた洗濯物が、下方に位置する物干しピンチ３の係止部３２の先端に引っかかってしまうことが抑制される。
【００６５】
また、本実施の形態による物干し具１では、第２の回転方向Ｑへ回転した回転部３１の第１の挟持部３１ａと対向する位置に保持部３３が配置されている。
【００６６】
このような構成によれば、第２の回転方向Ｑへ回転した回転部３１の第１の挟持部３１ａは、磁石から構成される保持部３３に吸着されるので、意図せずに回転部３１が第１の方向Ｐに回転して挟持状態となってしまうことが抑制され、次の物干し作業の際にスムーズに洗濯物を装着することが可能となる。
【００６７】
尚、本発明の物干し具は、上述した実施の形態に限定されず、特許請求の範囲に記載した範囲で種々の変形や改良が可能である。
【００６８】
例えば、上記実施の形態では、物干しピンチ３は、物干し具１の一部として説明したが、物干しハンガー２から着脱可能であってもよい。着脱可能とすることで、一の物干しピンチ３が破損等した場合に容易に交換が可能となる。この場合、回転部３１及び係止部３２は、第１のハンガー部２１及び第２のハンガー部２２に間接的に支持されることとなる。
【００６９】
また、物干しピンチ３は、上記実施の形態以外の構造を採用することも可能である。例えば、上記実施の形態では、図２に示すように、回転部３１と係止部３２は、第１の物干し面２１ｂと略垂直な面で対向したが、図７に示すように、第１の物干し面２１ｂと略水平な面で対向する構造等も考えられる。この場合、図５のＳ６において洗濯物の挟持状態を一斉に解除するために、回転部３１に固定され略水平に延びた操作部３４を備えていることが好ましい。
【００７０】
また、上記実施の形態では、物干しピンチ３は、第１の物干し面２１ｂ及び第２の物干し面２２ｂに取り付けられていたが、図７に示すように、第１のハンガー部２１及び第２のハンガー部２２の側部に取り付けられてもよい。この場合であっても、物干しピンチ３は、側部側から見ると、第１の物干し面２１ｂ及び第２の物干し面２２ｂの外側の空間を移動することとなる。
【００７１】
このように、本発明の“第１の物干し面の外側の空間”は、物干しピンチ３は、第１のハンガー部２１を側部側から見た場合に“第１の物干し面の外側の空間”に相当していればよい。このことは、物干しピンチ３が第１のハンガー部２１及び第２のハンガー部２２のいずれの場所に取り付けられていたとしても、“折り畳み状態”において、“外側の空間”から操作部３４（または、上記実施の形態における回転部３１）を操作可能であればよいことを意味する。
【００７２】
同様の発想で、物干しピンチ３を第１のハンガー部２１及び第２のハンガー部２２の側部に取り付ける場合、図８に示すように、第１の物干し面２１ｂ及び第２の物干し面２２ｂの側部の外側の空間を移動するように構成してもよい。
【００７３】
また、上記実施の形態では、回転部３１と係止部３２の対向状態、及び、回転部３１と保持部３３の対向状態を維持するために磁石を用いたが、それぞれを互いに係合可能な形状等にすることによって対向状態を維持してもよい。
【符号の説明】
【００７４】
１          物干し具
２          物干しハンガー
３          物干しピンチ
２１      第１のハンガー部
２１ａ  第１の吊り下げ面
２１ｂ  第１の物干し面
２１ｃ  第１のフック部
２１ｄ  吊り下げ紐
２２      第２のハンガー部
２２ａ  第２の吊り下げ面
２２ｂ  第２の物干し面
２２ｃ  第２のフック部
２２ｄ  吊り下げ紐
２３      接続部
３１      回転部
３１ａ  第１の挟持部
３２      係止部
３２ａ  対向面
３２ｂ  非対向面
３２ｃ  第２の挟持部
３３      保持部
３４      操作部
【図１】
2018148989.tif 000003
【図２】
2018148989.tif 000004
【図３】
2018148989.tif 000005
【図４】
2018148989.tif 000006
【図５】
2018148989.tif 000007
【図６】
2018148989.tif 000008
【図７】
2018148989.tif 000009
【図８】
2018148989.tif 000010
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
物干しハンガーと、
前記物干しハンガーに固定された物干しピンチと、
を備えた物干し具であって、
前記物干しハンガーは、
第１の吊り下げ面と、前記第１の吊り下げ面の裏面である第１の物干し面と、第１の側面と、を有する第１のハンガー部と、
第２の吊り下げ面と、前記第２の吊り下げ面の裏面である第２の物干し面と、第２の側面と、を有する第２のハンガー部と、
前記第１のハンガー部と前記第２のハンガー部を接続する接続部と、
を備え、
前記物干しハンガーは、前記接続部を中心として折り畳むことにより、前記第１の物干し面と前記第２の物干し面が略同一平面上に位置する平面状態から、前記第１の吊り下げ面と前記第２の吊り下げ面が対向した折り畳み状態に変形可能であり、前記物干しハンガーを前記平面状態から前記折り畳み状態に変形させる際に、前記第１のハンガー部は、前記接続部を中心として第１の回転方向に回転され、
前記物干しピンチは、
基端部分が前記第１のハンガー部に回転可能に支持され、前記基端部分を中心として前記第１の回転方向に回転させることにより、先端部分が前記第１の物干し面の外側の空間又は前記第１の側面の外側の空間を移動する回転部と、
前記第１のハンガー部に固定された係止部と、
を備え、
前記回転部及び前記係止部の少なくとも一方には、対向した前記回転部と前記係止部の間に挟まれた被物干し部材の挟持状態を保つための挟持部が形成されており、
前記接続部が下側となるように前記第１のハンガー部がぶら下げられた状態において、前記係止部は、前記第１の回転方向へ回転した前記回転部と対向する位置において略水平方向に突出しており、前記回転部は、前記係止部と対向した状態において、前記係止部よりも前記水平方向に突出しており、
前記第１の物干し面には、前記第１の回転方向とは逆方向の第２の回転方向へ回転し略垂直方向に延びた回転部と対向する位置に、前記回転部との対向状態を維持するための保持部が設けられていることを特徴とする物干し具。
【請求項２】
前記接続部が下側となるように前記第１のハンガー部がぶら下げられた状態において、前記第１のハンガー部には、複数の前記物干しピンチが略垂直方向に沿って配列されていることを特徴とする請求項１に記載の物干し具、
【請求項３】
前記係止部は、前記第１の物干し面から突出し前記回転部と対向する対向面と、前記対向面の反対側の非対向面と、を備え、前記非対向部は、先端が丸みを帯びた形状を有していることを特徴とする請求項２に記載の物干し具。
【請求項４】
第１の吊り下げ面と、前記第１の吊り下げ面の裏面である第１の物干し面と、第１の側面と、を有する第１のハンガー部と、第２の吊り下げ面と、前記第２の吊り下げ面の裏面である第２の物干し面と、第２の側面と、を有する第２のハンガー部と、前記第１のハンガー部と前記第２のハンガー部を接続する接続部と、を有し、前記接続部を中心として折り畳むことにより、前記第１の物干し面と前記第２の物干し面が略同一平面上に位置する平面状態から、前記第１の吊り下げ面と前記第２の吊り下げ面が対向した折り畳み状態に変形可能であり、前記物干しハンガーを前記平面状態から前記折り畳み状態に変形させる際に、前記第１のハンガー部は、前記接続部を中心として第１の回転方向に回転される物干しハンガーに取り付けられる物干しピンチであって、
基端部分が前記第１のハンガー部に直接的又は間接的に回転可能に支持され、前記基端部分を中心として前記第１の回転方向に回転させることにより、先端部分が前記第１の物干し面の外側の空間又は前記第１の側面の外側の空間を移動する回転部と、
前記第１のハンガー部に直接的又は間接的に固定された係止部と、
を備え、
前記回転部及び前記係止部の少なくとも一方には、対向した前記回転部と前記係止部の間に挟まれた被物干し部材の挟持状態を保つための挟持部が形成されており、
前記接続部が下側となるように前記第１のハンガー部がぶら下げられた状態において、前記係止部は、前記第１の回転方向へ回転した前記回転部と対向する位置において略水平方向に突出しており、前記回転部は、前記係止部と対向した状態において、前記係止部よりも前記水平方向に突出しており、
前記第１の物干し面には、前記第１の回転方向とは逆方向の第２の回転方向へ回転し略垂直方向に延びた回転部と対向する位置に、前記回転部との対向状態を維持するための保持部が設けられていることを特徴とする物干しピンチ。
【請求項５】
前記係止部は、前記第１の物干し面から突出し前記回転部と対向する対向面と、前記対向面の反対側の非対向面と、を備え、前記非対向部は、先端が丸みを帯びた形状を有していることを特徴とする請求項４に記載の物干しピンチ。